(57)【要約】【課題】スリーブに作用する側圧の合力の方向を、出力油圧の出力時と非出力時とで同じになるようにし、側圧に起因するスリーブ外周の磨耗を回避し得るソレノイドバルブを提供する。【解決手段】スリーブ２２の軸心に対する入力ポート３７の反対側の部位にフィードバックポート３４及び出力ポート２６を備え、該スリーブに、フィードバック油路２８を形成するように設けられた凹部３１と、フィードバック油路を囲んで漏出する油をシールするように設けられたシール部２７と、シール部を介してフィードバック油路から漏出する油をバルブ部外部に流出するように形成された側圧低減溝部３０とを備える。側圧低減溝部が油を逃がすことで、出力油圧作用時に油が漏出する際のスリーブに作用する側圧の合力の方向を、出力時と非出力時とで同じ方向になるように構成し、スリーブが摩耗する等の不具合を回避する。【選択図】図２
2011017381.tif 000002
【特許請求の範囲】
【請求項１】
供給される電力に応じてプランジャを駆動するソレノイド部と、
該ソレノイド部に固定されたスリーブ、前記プランジャの駆動力により前記スリーブ内に配設された付勢部材の付勢力に抗して前記スリーブ内を移動するスプール、前記スリーブに穿設され入力油圧が入力される入力ポート、前記スリーブに穿設され該入力ポートからの油圧を出力する出力ポート、及び、前記スリーブに形成され該出力ポートの開口量を調整すると共に、該出力ポートから出力される出力油圧を、前記開口量を小さくする方向にフィードバック作用させるフィードバック油室、を有するバルブ部と、
を備えたソレノイドバルブにおいて、
前記バルブ部の前記スリーブの軸心に対する前記入力ポートの反対側の部位に、前記フィードバック油室に連通するフィードバックポート及び前記出力ポートを備え、かつ、
前記フィードバックポートと前記出力ポートとを連通するフィードバック油路を形成するように前記スリーブに形成された凹部と、
前記フィードバック油路の外縁から所定距離を有し、前記フィードバック油路を囲んで漏出する油をシールするように前記スリーブに形成されたシール部と、
該シール部を介して前記フィードバック油路から漏出する油を前記バルブ部の外部に流出するように前記スリーブに形成された側圧低減溝部と、を備え、
該側圧低減溝部は、前記出力ポートへの前記出力油圧の作用時に前記フィードバック油路から漏出する際の前記スリーブに作用する側圧の合力の方向を、前記出力油圧の出力時と非出力時とで同じ方向にするように構成される、
ことを特徴とするソレノイドバルブ。
【請求項２】
前記ソレノイド部に対して軸方向反対側となる前記スリーブの先端側に安定シール部を有し、
前記側圧低減溝部は、前記スリーブにおける前記シール部と前記安定シール部との間に形成される、
ことを特徴とする請求項１記載のソレノイドバルブ。
【請求項３】
前記安定シール部は、前記スリーブの円周方向に形成され、円周方向幅を小さくするくびれ部を介して前記シール部に連結されてなる、
ことを特徴とする請求項２記載のソレノイドバルブ。
【発明の詳細な説明】
【技術分野】
【０００１】
本発明は、電気的に作動して入力油圧を調圧出力し得るソレノイドバルブに係り、特に車輌用自動変速機の油圧制御装置等に用いられるソレノイドバルブに関する。
【背景技術】
【０００２】
例えば車輌用自動変速機の油圧制御装置は、オイルポンプにより発生した油圧をレギュレータバルブによってスロットル開度に応じたライン圧に調圧し、ライン圧をクラッチやブレーキ等の摩擦係合要素の油圧サーボに選択的に供給することで、それら摩擦係合要素を選択的に係合して動力伝達経路の形成を行い、かつスロットル開度の上昇に伴う駆動源の出力トルクの上昇によって、摩擦係合要素に滑りが生じないように構成されている。
【０００３】
ところで、ライン圧を摩擦係合要素の油圧サーボに供給して係合を行う場合、もしくはライン圧を油圧サーボから排出して解放を行う場合は、単に油圧サーボに対してライン圧の供給や排出を行うと、急係合や急解放による変速ショックが生じるため、ライン圧を所望の圧に調圧しつつ油圧サーボに対して供給・排出を行う必要がある。そのため、このような油圧制御装置では、ライン圧を油圧サーボに供給するための油路に、入力される制御圧に応じてスプールを移動させることで油圧サーボに対するライン圧の開口量をコントロールし得るコントロールバルブを介在させ、一方で、ライン圧をモジュレータバルブによって所定圧以下に抑制したモジュレータ圧を入力油圧としたリニアソレノイドバルブによって制御圧を生成し、つまりリニアソレノイドバルブを電気的に制御することによって制御圧をコントロールバルブに対して作用させ、該コントロールバルブによりライン圧を調圧することで、上記油圧サーボに対する供給油圧のコントロールを行っている。
【０００４】
従来、このようなリニアソレノイドバルブとして、次のような電磁弁が知られている（特許文献１参照）。この電磁弁は、ソレノイド部（電磁駆動部）及びバルブ部（弁部）を備えており、該バルブ部のスリーブが、油圧制御装置におけるバルブボディのバルブ孔に嵌合・埋設される形で設置されている。ソレノイド部は、プランジャ、コイルアッセンブリ及びヨーク等を有しており、バルブ部は、全体がスリーブ状に形成された上記スリーブと、該スリーブの中空部分に摺動自在に嵌挿されたスプールとを有し、該スリーブに抜止め・固着されたエンドキャップとスプール先端との間に縮設されたスプリングを有している。該スリーブには、入力ポート、出力ポート及びドレンポートが、スリーブの軸心に対する片側に形成されている。
【先行技術文献】
【特許文献】
【０００５】
【特許文献１】特開２００５−３０８１６１号公報
【発明の概要】
【発明が解決しようとする課題】
【０００６】
ところで、特許文献１記載の電磁弁のように、入力ポート及び出力ポートがスリーブの軸心に対する片側にまとめて形成されたものにあっては特に問題はないが、このようなタイプ以外で、出力ポートから出力される出力油圧をフィードバック作用させるフィードバック油室をバルブ部に有し、スリーブの軸心に対する入力ポートの反対側に、出力ポートと上記フィードバック油室にフィードバックポートで連通するフィードバック油路とを有するタイプのものが存在し、このタイプにあっては次のような不都合を生じる虞がある。
【０００７】
すなわち、このタイプのリニアソレノイドバルブでは、スリーブに油圧が作用する際に、バルブ孔に嵌合・埋設されたスリーブの外周にあるフィードバック油路とバルブ孔内面との間の隙間から油漏れすることに起因して、入力ポートと出力ポートとが連通する出力油圧の出力時には入力ポート、出力ポート及びフィードバック油路の各近傍に側圧が作用する一方、出力油圧の非出力時には入力ポート近傍にのみ側圧が作用するため、油圧の出力状況によってスリーブ全体に受ける側圧の合力の方向や大きさが著しく変化する。
【０００８】
このように、スリーブに作用する側圧の合力の方向が大きく変化すると、自動変速機の作動時に、スリーブはバルブ孔とのクリアランス内で傾く動作を頻繁に繰り返すことになるため、油圧の入出力を繰り返したスリーブは、その外周面の一部に、バルブ孔との度重なる摺動による磨耗が生じることで、著しい場合、自動変速機にあって不快な変速ショックを招く等の虞がある。
【０００９】
そこで本発明は、スリーブに作用する側圧の合力の方向を、出力油圧の出力時と非出力時とで同じになるように構成することで、側圧に起因して生じるスリーブ外周の磨耗を回避し得るようにしたソレノイドバルブを提供することを目的とするものである。
【課題を解決するための手段】
【００１０】
請求項１に係る本発明は（例えば図１乃至図５参照）、供給される電力に応じてプランジャ（１４）を駆動するソレノイド部（１０）と、
該ソレノイド部（１０）に固定されたスリーブ（２２）、前記プランジャ（１４）の駆動力により前記スリーブ（２２）内に配設された付勢部材（２４）の付勢力に抗して前記スリーブ（２２）内を移動するスプール（２１）、前記スリーブ（２２）に穿設され入力油圧が入力される入力ポート（３７）、前記スリーブ（２２）に穿設され該入力ポート（３７）からの油圧を出力する出力ポート（２６）、及び、前記スリーブ（２２）に形成され該出力ポート（２６）の開口量を調整すると共に、該出力ポート（２６）から出力される出力油圧を、前記開口量を小さくする方向にフィードバック作用させるフィードバック油室（３９）、を有するバルブ部（２０）と、
を備えたソレノイドバルブ（１）において、
前記バルブ部（２０）の前記スリーブ（２２）の軸心（ｃ）に対する前記入力ポート（３７）の反対側の部位に、前記フィードバック油室（３９）に連通するフィードバックポート（３４）及び前記出力ポート（２６）を備え、かつ、
前記フィードバックポート（３４）と前記出力ポート（２６）とを連通するフィードバック油路（２８）を形成するように前記スリーブ（２２）に形成された凹部（３１）と、
前記フィードバック油路（２８）の外縁（２８ａ）から所定距離（ｌ）を有し、前記フィードバック油路（２８）を囲んで漏出する油をシールするように前記スリーブ（２２）に形成されたシール部（２７）と、
該シール部（２７）を介して前記フィードバック油路（２８）から漏出する油を前記バルブ部（２０）の外部に流出するように前記スリーブ（２２）に形成された側圧低減溝部（３０）と、を備え、
該側圧低減溝部（３０）は、前記出力ポート（２６）への前記出力油圧の作用時に前記フィードバック油路（２８）から漏出する際の前記スリーブ（２２）に作用する側圧の合力の方向を、前記出力油圧の出力時と非出力時とで同じ方向にするように構成される、
ことを特徴とするソレノイドバルブ（１）にある。
【００１１】
請求項２に係る本発明は（例えば図１乃至図３参照）、前記ソレノイド部（１０）に対して軸方向反対側となる前記スリーブ（２２）の先端側に安定シール部（２９）を有し、
前記側圧低減溝部（３０）は、前記スリーブ（２２）における前記シール部（２７）と前記安定シール部（２９）との間に形成される、
ことを特徴とする請求項１記載のソレノイドバルブ（１）にある。
【００１２】
請求項３に係る本発明は（例えば図２及び図３参照）、前記安定シール部（２９）は、前記スリーブ（２２）の円周方向に形成され、円周方向幅を小さくするくびれ部（２７ｂ）を介して前記シール部（２７）に連結されてなる、
ことを特徴とする請求項２記載のソレノイドバルブ（１）にある。
【００１３】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１４】
請求項１に係る本発明によると、スリーブの軸心に対する入力ポートの反対側の部位に、フィードバックポート及び出力ポートを備え、かつフィードバック油路を形成するようにスリーブに形成された凹部と、フィードバック油路の外縁から所定距離を有し、フィードバック油路を囲んで漏出する油をシールするようにスリーブに形成されたシール部と、該シール部を介してフィードバック油路から漏出する油をバルブ部の外部に流出するようにスリーブに形成された側圧低減溝部とを備え、該側圧低減溝部が、出力ポートへの出力油圧の作用時にフィードバック油路から漏出する際のスリーブに作用する側圧の合力の方向を、出力油圧の出力時と非出力時とで同じ方向にするように構成されるので、側圧低減溝部の存在によりシール部の側圧受圧面積が低減されることで、スリーブ全体が受ける側圧の合力の方向を出力油圧の出力時と非出力時とで同一にすることができる。これにより、バルブ孔内でスリーブが出力油圧の出力時と非出力時とで傾いてガタつくような現象を防止することができ、スリーブがバルブ孔に摺接して摩耗するような不具合の発生を回避することができる。
【００１５】
請求項２に係る本発明によると、ソレノイド部に対して軸方向反対側となるスリーブの先端側に安定シール部を有し、側圧低減溝部が、スリーブにおけるシール部と安定シール部との間に形成されるので、側圧低減溝部によりシール部の側圧受圧面積を低減しながら、安定シール部の存在によってバルブ孔内でのスリーブの傾きを効果的に抑止することができる。
【００１６】
請求項３に係る本発明によると、安定シール部が、スリーブの円周方向に形成され、円周方向幅を小さくするくびれ部を介してシール部に連結されるので、側圧低減溝部によりシール部の側圧受圧面積を低減しながら、バルブ孔内でのスリーブの接触面積をより多くして、バルブ孔内でのスリーブの傾き抑止効果を、より高めることができる。
【図面の簡単な説明】
【００１７】
【図１】本発明に係る実施の形態におけるノーマルクローズタイプのリニアソレノイドバルブの全体構成を概略的に示す断面図。
【図２】図１に示したスリーブを単体で示す図であり、（ａ）は出力側を上方に向けた状態を示す斜視図、（ｂ）は入力側を上方に向けた状態を示す斜視図。
【図３】図１に示したスリーブを単体で示す図であり、（ａ）は出力側を上方に向けた状態を示す平面図、（ｂ）は入力側を上方に向けた状態を示す平面図。
【図４】本実施の形態におけるリニアソレノイドバルブの状態を概略的に示す図であり、（ａ）は出力油圧の出力時、（ｂ）は非出力時の状態を示す。
【図５】スリーブに形成された凹部と該スリーブ全周寸法との比較を示す概略図。
【図６】本発明に対する比較例としてのリニアソレノイドバルブの状態を概略的に示す図であり、（ａ）は出力油圧の出力時、（ｂ）は非出力時の状態を示す。
【発明を実施するための形態】
【００１８】
以下、本発明のソレノイドバルブに係る実施の形態を、図１乃至図６に沿って説明する。すなわち、リニアソレノイドバルブ（ソレノイドバルブ）１は、図１に示すように、大まかにソレノイド部１０及びバルブ部２０とからなり、該バルブ部２０のスリーブ２２が、例えば自動変速機の油圧制御装置におけるバルブボディ１５のバルブ孔１５ａに嵌合・埋設される形で設置される。ソレノイド部１０は、プランジャ１４、不図示のコイルアッセンブリ及びヨークを備えており、供給される電力に応じてプランジャ１４を駆動するように構成される。
【００１９】
本実施の形態では、本発明を適用したリニアソレノイドバルブ１に、図１に示す非通電時（オフ時）に入力ポート３７と出力ポート２６とを遮断し、通電時（オン時）に連通する、いわゆるノーマルクローズ（Ｎ／Ｃ）タイプのものを使用している。
【００２０】
上記バルブ部２０では、プランジャ１４の駆動力がプラグ１８を介してスプール２１に伝えられ、該スプール２１がスプリング（付勢部材）２４の付勢力に抗して軸方向に移動し、これにより、入力油圧が入力される入力ポート３７と該入力ポート３７からの油圧を出力する出力ポート２６との開口量が調整される。バルブ部２０は、出力ポート２６から出力される出力油圧を、上記開口量を小さくする方向にフィードバック作用させるフィードバック油室３９を有している。
【００２１】
即ち、バルブ部２０は、全体が略々スリーブ状に形成されてソレノイド部１０に固定されたスリーブ２２と、プランジャ１４の駆動力によりスリーブ２２内に配設されたスプリング２４の付勢力に抗してスリーブ２２内を移動するスプール２１と、スリーブ２２に穿設され入力油圧が入力される入力ポート３７と、スリーブ２２に穿設され該入力ポート３７からの油圧を出力する出力ポート２６と、スリーブ２２に形成され該出力ポート２６の開口量を調整すると共に、該出力ポート２６から出力される出力油圧を、開口量を小さくする方向にフィードバック作用させるフィードバック油室３９と、を有している。上記スプール２１は、スリーブ２２の中空部分に摺動自在（長手方向に対して移動自在）に嵌挿されている。上記スプリング２４は、スリーブ２２に抜止め・固着されたエンドキャップ５５とスプール２１の先端部２１ｃとの間に縮設されている。上記スリーブ２２は、ソレノイド部１０側からエンドキャップ５５側に向かって順に、不図示の油圧サーボに供給した出力油圧をドレン（排出）するためのドレンポート２５、不図示の油圧サーボに連通する上記出力ポート２６、凹部（切欠き面積低減部）３１、及び該凹部３１の端部から上記フィードバック油室３９に向けて穿設されたフィードバックポート３４を有している。上記凹部３１は、フィードバックポート３４と出力ポート２６とを連通するフィードバック油路２８をバルブ孔１５ａ内面とで形成するようにスリーブ２２に設けられる。
【００２２】
また、スリーブ２２における軸心ｃに対する出力ポート２６と反対の側には、ソレノイド部１０側からエンドキャップ５５に向かって順に、ドレンポート２５に連通し得るポート３６、異物溜り凹部４３、スロットル開度に応じて調圧されたライン圧（シフトレンジを切換えるマニュアルバルブ等を介して供給されるレンジ圧も含む）が入力油圧として入力される上記入力ポート３７、フィードバックポート３４に連通する上記フィードバック油室３９、ドレンポート４０、及びスリーブガイド４１を有している。上記フィードバック油室３９に連通する上記フィードバックポート３４及び上記出力ポート２６は、バルブ部２０のスリーブ２２の軸心ｃに対する入力ポート３７の反対側の部位に設けられている。以上のように、スリーブ２２は、その軸心ｃに対する入力ポート３７の反対側の部位に、フィードバック油室３９に連通するフィードバックポート３４及び出力ポート２６を備え、凹部３１は、外周側がバルブ孔１５ａ内面で閉塞されることで、出力ポート２６とフィードバックポート３４とを連通してフィードバック圧をフィードバック油室３９に導入し得るフィードバック油路２８を形成する。なお、上記スリーブガイド４１の存在により、バルブ孔１５ａ内でのスリーブ２２の傾きが抑止され、その安定保持状態が効果的に維持される。
【００２３】
一方、バルブボディ１５には、ドレンポート２５、出力ポート２６、入力ポート３７、ドレンポート４０に対応する位置に、油路４５，４６，４７、ドレン溝４８がそれぞれ形成されて、これら各ポート２５，２６，３７，４０に連通している。即ち、油路４５は、不図示のオイルパンに向けて油を排出する油路であり、油路４６は、摩擦係合要素（クラッチやブレーキ）の油圧サーボの作動油室に連通された油路であり、油路４７は、ライン圧を調圧する不図示のレギュレータバルブ等の調圧ポートに連通された油路であり、ドレン溝４８は、不図示のオイルパンに向けて油を排出する油路である。
【００２４】
上記スプール２１は、２個の大径ランド部２１ａ，２１ｂ及び１個の小径ランド部２１ｃを有しており、該大径ランド部２１ａのソレノイド部１０側には、プランジャ１４に連動するプラグ１８が当接している。該スプール２１は、上述のように、スプリング２４の付勢力に抗して、ソレノイド部１０のプランジャ１４によりプラグ１８を介して押圧駆動される。
【００２５】
大径ランド部２１ａ，２１ｂは、小径ランド部２１ｃの外径よりも大きい外径を有しており、大径ランド部２１ａは、スプール２１がプランジャ１４に押圧されずにスプリング２４によって付勢された位置である際に、出力ポート２６とドレンポート２５とを連通し、プランジャ１４に押圧されて移動された際にそれら出力ポート２６とドレンポート２５とを遮断するように形成されている。また、大径ランド部２１ｂは、ソレノイド部１０が非通電であってスプール２１がプランジャ１４に押圧されずにスプリング２４によって付勢された位置である際には入力ポート３７と出力ポート２６とを遮断し、また、プランジャ１４に押圧されて移動した際には入力ポート３７と出力ポート２６との開口量を大きくするように形成されている。
【００２６】
大径ランド部２１ｂと小径ランド部２１ｃとの間に形成されたくびれ部は、スプール２１が移動してもフィードバック油室３９内に位置するように形成されており、それら大径ランド部２１ｂと小径ランド部２１ｃとの外径差によって該フィードバック油室３９に入力されるフィードバックポート３４からのフィードバック圧がスプリング２４の付勢方向と同方向に作用するように、即ち出力ポート２６と入力ポート３７との開口量が小さくなる方向に作用するように構成されている。
【００２７】
ついで、上述したスリーブ２２の形状について、図２（ａ），（ｂ）及び図３（ａ），（ｂ）を参照して詳細に説明する。すなわち、スリーブ２２には、出力ポート２６を上方に向けた状態の図２（ａ）及び図３（ａ）に示すように、ソレノイド部１０側の端部にフランジ部２３が形成され、また、入力ポート３７を上方に向けた状態の図２（ｂ）及び図３（ｂ）に示すように、フランジ部２３の近傍にドレンポート３５が形成されている。
【００２８】
そして、出力ポート２６に対するドレンポート２５の反対側の部位にはシール部２７が形成されており、該シール部２７には、円周方向に所定量切り欠かれた出力ポート２６の中央部分から軸方向に延びるように凹部３１が形成されている。該凹部３１は、出力ポート２６側に扇状に広がりつつ径方向寸法が低くなる形状の扇状低部３２からなだらかに低くなってフィードバックポート３４側に延びる溝状に形成されている。なお、符号３３は、径方向に突出するシール部２７よりも低くされた部位を示し、符号４２は、径方向に低い異物溜り凹部４３が形成された外周面を示している。
【００２９】
凹部３１の軸方向（図３の左右方向）と直交する方向（図３の上下方向）の幅ｗは、図５に示すスリーブ２２の周方向距離Ｈの１３％以内の寸法となるように設定されている。このとき、凹部３１の深さｄ（図１参照）はフィードバックポートの必要な流量を確保するための目標断面積を幅ｗにより除することで求めることができる。これにより、例えば幅広で深さが比較的浅い形状の凹部を形成する場合に比して、この凹部と断面積を同程度にして油の流量を同等にしながらも、出力ポート２６からフィードバックポート３４に連通するフィードバック油路２８の幅を狭くして、入力ポート３７及びフィードバック油路２８の近傍に作用する側圧を有効に低減することができる。つまり、フィードバックポート３４への出力ポート２６からの油圧の受け渡し時の側圧受圧面積を比較的小さくすることで、入力ポート３７方向に作用する側圧を低減することができる。
【００３０】
上記シール部２７は、シール性を確保する距離ｌ（図２（ａ）参照）を存するように凹部３１を囲んでシールするように設けられている。即ち、シール部２７は、スリーブ２２に形成され、フィードバック油路２８の外縁２８ａ（つまり、凹部３１の側端）から外縁２７ａまでの距離（所定距離）ｌを有し、フィードバック油路２８（図１参照）を囲んで漏出する油をシールするように設けられている。この距離ｌは、凹部３１の側端（２８ａ）から、シール部２７がシール性を維持するために最小限必要なデッドラインＤＬ（図２（ａ）の破線）までの距離である。このように、シール部２７は、フィードバック油室２８を形成するように設けられた凹部３１を有した状態でバルブ孔１５ａの内面に密接し、出力ポート２６からの油圧がフィードバック油路２８に作用した際の側圧を受けるように構成される。
【００３１】
また、シール部２７を介してフィードバック油路２８から漏出する油をバルブ部２０の外部に流出するように側圧低減溝部３０がスリーブ２２に形成されており、該側圧低減溝部３０は、バルブ部２０の外部とフィードバック油路２８の外縁２８ａとをシール部２７を介して連通するように設けられている。即ち、側圧低減溝部３０は、スリーブ２２の軸方向におけるソレノイド部１０から離れる端部側にて、フィードバック油路２８に作用する出力油圧（フィードバック圧）を大気に比較的容易に開放し得るように形成される。軸方向左右に対向するように２箇所設けられた側圧低減溝部３０は、シール部２７の縁部を、周方向の両側から削り取るようにくびれた形状（くびれ部２７ｂ）を有し、フィードバック油路２８からの漏れ込みを一気に大気中（スリーブ２２の外部）にドレンすることでシール部２７の側圧受圧面積を小さくし、スリーブ２２全体の動き（振動、摺動）を抑止できるように構成されている。そして、シール部２７の最も先端部分には、シール部２７から両側がくびれ部２７ｂで一旦くびれた後、周方向に延びるようにシール部２７と同じレベルで設けられた安定シール部２９が形成されている。該安定シール部２９の存在により、バルブ孔１５ａ内でのスリーブ２２の傾きが抑止され、その安定保持状態が効果的に維持される。
【００３２】
一方、入力ポート３７を上方に向けた状態の図２（ｂ）及び図３（ｂ）に示すように、異物溜り凹部４３は、軸方向と直交する方向の幅が比較的小さく形成されて、切欠き面積（断面積）が低減されるように形成されている。これにより、幅寸法がこれ以上に大きい場合に比して、側圧受圧面積を小さくし、出力ポート２６方向に作用する側圧を比較的低減することができる。
【００３３】
以上のリニアソレノイドバルブ１は、側圧低減溝部３０が、出力ポート２６への出力油圧の作用時にフィードバック油路２８から漏出する際のスリーブ２２に作用する側圧の合力の方向を、出力油圧の出力時と非出力時とで同じ方向にするように構成される。
【００３４】
ついで、上記構成に基づきリニアソレノイドバルブ１の作用について、図１乃至図３とともに図４（ａ），（ｂ）、及び本発明に係るリニアソレノイドバルブ１に対する比較例としての図６（ａ），（ｂ）も併せて参照して説明する。なお、図４及び図６では、便宜上、図１に示したリニアソレノイドバルブ１を横向きにした状態で記載している。
【００３５】
すなわち、ソレノイド部１０に電力が供給されない非通電状態では、スプール２１がスプリング２４に付勢されて、図１に示す状態となり、大径ランド部２１ｂによって入力ポート３７が閉止され、これにより、入力油圧が出力ポート２６側に作用せず、入力ポート３７及びその近傍にのみ油圧（側圧）が作用する状態となっている。つまり、リニアソレノイドバルブ１にあっては、側圧が、入力ポート３７を中心としたＰ３（図４（ｂ）参照）で示す部位に作用し、その合力が矢印Ａ方向に向いて、スリーブ２２が、図４（ｂ）上方のバルブ孔１５ａ内面に密着した状態となる。
【００３６】
一方、ソレノイド部１０に電力が供給される通電状態になると、スプール２１がスプリング２４に抗して軸方向に移動し、スリーブ２２に対するスプール２１の位置が制御されるため、スプール２１の移動に伴って大径ランド部２１ｂが入力ポート３７と出力ポート２６とを連通し、出力ポート２６からの出力油圧が、不図示の油圧サーボに作用されると共に、扇状低部３２を経由してフィードバック油路２８に作用される。つまり、フィードバックポート３４からフィードバック油室３９にフィードバック圧が作用し、スプール２１が、出力ポート２６と入力ポート３７との開口量を小さくする方向にスプリング２４とともに付勢されながら入力ポート３７を出力ポート２６に連通する。この際、油圧が入力ポート３７側と出力ポート２６側とに作用するため、入力ポート３７及びその近傍の部位に側圧が作用し、かつ出力ポート２６、フィードバック油路２８及びその近傍の部位にも側圧が作用する状態となる。このため、リニアソレノイドバルブ１にあっては、側圧が、入力ポート３７を中心としたＰ２（図４（ａ）参照）で示す部位に作用し、かつ出力ポート２６を中心としたＰ１（図４（ａ）参照）で示す部位に同時に作用し、その合力が矢印Ａ方向に向いて、スリーブ２２が、図４（ｂ）の場合と同様に、図４（ａ）上方のバルブ孔１５ａ内面に密着した状態となる。
【００３７】
ここで、比較例のリニアソレノイドバルブ５１について、図６（ａ），（ｂ）を参照して説明する。すなわち、該リニアソレノイドバルブ５１は、その凹部（図示せず）が、本リニアソレノイドバルブ１の凹部３１に比して幅が広くかつ深さが浅く構成され、またスリーブ２２は、シール部２７と安定シール部２９との間の部位がくびれず側圧低減溝部３０を有さない形状にされているが、これら以外の構成は本リニアソレノイドバルブ１と同様である。
【００３８】
このような構成のリニアソレノイドバルブ５１にあっては、ソレノイド部１０に電力が供給されない非通電状態では、スプール２１が図１に示す位置にあり、大径ランド部２１ｂにより入力ポート３７が閉止されて、入力油圧が出力ポート２６側に作用せず、入力ポート３７及びその近傍にのみ側圧が作用する状態となっている。このため、リニアソレノイドバルブ５１では、側圧が、入力ポート３７を中心としたＰ７（図６（ｂ）参照）で示す部位に作用し、その合力が矢印Ｃ方向に向いて、スリーブ２２が、図６（ｂ）上方のバルブ孔１５ａ内面に密着した状態となる。
【００３９】
一方、ソレノイド部１０に電力が供給される通電状態になると、スプール２１が軸方向に移動してその位置を制御されるため、大径ランド部２１ｂが入力ポート３７と出力ポート２６とを連通し、出力ポート２６からの出力油圧が、油圧サーボ（図示せず）に作用されると共に、リニアソレノイドバルブ１に比して広いフィードバック油路（図示せず）に作用される。この際、油圧が入力ポート３７側と出力ポート２６側とに作用するため、入力ポート３７及びその近傍の部位に側圧が作用し、かつ出力ポート２６、フィードバック油路及びその近傍の部位にも側圧が作用する状態となる。この際、リニアソレノイドバルブ５１は、リニアソレノイドバルブ１の凹部３１よりも幅広で溝深さが浅い凹部を有すると共に、スリーブ２２に側圧低減溝部３０を有さないため、入力ポート３７を中心とした部位Ｐ５（図６（ａ）参照）にはリニアソレノイドバルブ１と略々同様の側圧が作用するものの、出力ポート２６を中心とした部位Ｐ４（図６（ａ）参照）には、リニアソレノイドバルブ１の場合よりも大きな側圧が作用することになり、従って、それら側圧の合力が矢印Ｂで示す方向を向くことになる。
【００４０】
この矢印Ｂ方向は、非通電状態における図６（ｂ）の矢印Ｃ方向とは逆の方向であり、従って、スリーブ２２に作用する側圧の合力の方向が大きく変化することになり、自動変速機の作動時には、スリーブ２２はバルブ孔１５ａとのクリアランス内で傾く動作を頻繁に繰り返すことになる。これにより、油圧の入出力を繰り返したスリーブ２２は、外周面の一部（例えば図６（ｂ）の符号Ｆで示す部位）に、バルブ孔１５ａとの度重なる摺動による磨耗が生じることになる。
【００４１】
以上説明したように本実施の形態では、スリーブ２２の軸心ｃに対する入力ポート３７の反対側の部位に、フィードバックポート３４及び出力ポート２６を備え、かつフィードバック油路２８を形成するようにスリーブ２２に形成された凹部３１と、フィードバック油路２８の外縁２８ａから距離ｌを有し、フィードバック油路２８を囲んで漏出する油をシールするようにスリーブ２２に形成されたシール部２７と、該シール部２７を介してフィードバック油路２８から漏出する油をバルブ部２０の外部に流出するようにスリーブ２２に形成された側圧低減溝部３０とを備え、該側圧低減溝部３０が、出力ポート２６への出力油圧の作用時にフィードバック油路２８から漏出する際のスリーブ２２に作用する側圧の合力の方向を、出力油圧の出力時と非出力時とで同じ方向にするように構成される。このため、側圧低減溝部３０の存在によりシール部２７の側圧受圧面積が低減されることで、スリーブ２２全体が受ける側圧の合力の方向を出力油圧の出力時と非出力時とで同一とすることができる。従って、バルブ孔１５ａ内でスリーブ２２が出力油圧の出力時と非出力時とで傾いてガタつくような現象を防止することで、スリーブ２２がバルブ孔１５ａに摺接して摩耗するような不具合の発生を回避できる。なお、くびれ部２７ｂや安定シール部２９が形成されずに、フィードバック油路２８を囲むようにシール部２７のみが図３（ａ）の破線Ｌ１のように形成されていれば、側圧受圧面積を最も低減することが可能になる。
【００４２】
また、本実施の形態では、ソレノイド部１０に対して軸方向反対側となるスリーブ２２の先端側に安定シール部２９が設けられており、側圧低減溝部３０は、スリーブ２２におけるシール部２７と安定シール部２９との間に形成されている。これにより、側圧低減溝部３０によりシール部２７の側圧受圧面積を低減しながら、安定シール部２９の存在によってバルブ孔１５ａ内でのスリーブ２２の傾きを効果的に抑止することができる。この場合、シール部２７を図３（ａ）の破線Ｌ１で示す形状とし、安定シール部２９を図３（ａ）の破線Ｌ２で示す形状として、くびれ部２７ｂを設けない構成とすれば、シール部２７の側圧受圧面積を効果的に低減しながら、安定シール部２９によってスリーブ２２の傾きを効果的に抑止することができる。
【００４３】
そして、本実施形態では、安定シール部２９は、スリーブ２２の円周方向に形成され、円周方向幅を小さくする上記くびれ部２７ｂを介してシール部２７に連結されている。これにより、側圧低減溝部３０によりシール部２７の側圧受圧面積を低減しながら、バルブ孔１５ａ内でのスリーブ２２の接触面積をより多くして、バルブ孔１５ａ内でのスリーブ２２の傾き抑止効果を、より高めることができる。
【００４４】
また、本実施の形態によると、凹部３１の幅ｗがスリーブ２２の周方向距離Ｈの１３％以内の寸法に設定されるので、スリーブ２２の強度を損なうことなく、幅広で深さが比較的浅い形状の凹部を形成する場合に比して、該凹部と凹部３１の断面積を同じにして油の流量を同程度にしながらも、出力ポート２６からフィードバックポート３４に連通するフィードバック油路２８の幅ｗを比較的狭くして、入力ポート３７及びフィードバック油路２８の近傍に作用する側圧を有効に低減することができる。
【産業上の利用可能性】
【００４５】
本発明に係るソレノイドバルブは、乗用車、トラック、バス、農機等に搭載される自動変速機等に用いて好適である。
【符号の説明】
【００４６】
１    ソレノイドバルブ（リニアソレノイドバルブ）
１０    ソレノイド部
１４    プランジャ
２０    バルブ部
２１    スプール
２２    スリーブ
２４    付勢部材（スプリング）
２６    出力ポート
２７    シール部
２７ｂ    くびれ部
２８    フィードバック油路
２８ａ    フィードバック油路の外縁
２９    安定シール部
３０    側圧低減溝部
３１    凹部
３４    フィードバックポート
３７    入力ポート
３９    フィードバック油室
ｃ    スリーブの軸心
Ｈ    スリーブの周方向距離
ｌ    距離（所定距離）
ｗ    凹部の幅
【図１】
2011017381.tif 000003
【図２】
2011017381.tif 000004
【図３】
2011017381.tif 000005
【図４】
2011017381.tif 000006
【図５】
2011017381.tif 000007
【図６】
2011017381.tif 000008